(57)【要約】【課題】建具において、断熱性能を向上させる。【解決手段】中空もしくは一部が開口する空間を有する樹脂製の形材を組んでなり、  空間内に、シート状部材によって複数の空気層が区画された断熱材が配置されている。【選択図】  図４
2020133358.tif 000002
【特許請求の範囲】
【請求項１】
中空もしくは一部が開口する空間を有する樹脂製の形材を組んでなり、
空間内に、シート状部材によって複数の空気層が区画された断熱材が配置されている断熱建具。
【発明の詳細な説明】
【技術分野】
【０００１】
本発明は、建物開口部に配置される断熱建具に関する。
【背景技術】
【０００２】
合成樹脂により枠および障子を形成した建具が知られている。
【先行技術文献】
【特許文献】
【０００３】
【特許文献１】特開２０００−１９２７３４号公報
【発明の概要】
【発明が解決しようとする課題】
【０００４】
上記特許文献１に記載された建具のように、樹脂形材により形成された樹脂サッシは断熱性能に優れている。
しかし近年、サッシにおいて、さらに高い断熱性能が求められている。
【０００５】
本発明は、サッシにおいて、さらに高い断熱性能を付与することを目的とする。
【課題を解決するための手段】
【０００６】
本発明の一実施形態は、中空もしくは一部が開口する空間を有する樹脂製の形材を組んでなり、空間内に、シート状部材によって複数の空気層が区画された断熱材が配置されている断熱建具である。
【発明の効果】
【０００７】
本実施形態の断熱建具の構成により、さらに高い断熱性能を付与することができる。
【図面の簡単な説明】
【０００８】
【図１】本発明の第１の実施形態に係る建具の竪断面図である。
【図２】本発明の第１の実施形態に係る建具の横断面図である。
【図３】本発明の実施形態に係る建具の断熱材の分解図の一例である。
【図４】本発明の実施形態に係る建具の断熱材の配置方法を説明する図の一例であり、断熱材の中空部への配置を完了する前の図である
【図５】本発明の実施形態に係る建具の断熱材の配置方法を説明する図の一例であり、断熱材の中空部への配置を完了した後の図である
【図６】本発明の実施形態に係る建具の断熱材を配置した建具の正面図である。
【図７】本発明の実施形態に係る建具の断熱材の他の一例の図である。
【図８】本発明の実施形態に係る建具の断熱材を配置した枠材の一例の図である。
【図９】本発明の第２の実施形態に係る建具の竪断面図である。
【図１０】本発明の第２の実施形態に係る建具の横断面図である。
【発明を実施するための形態】
【０００９】
−第１の実施形態−
第１の実施形態は、建具の枠体１を構成する枠材の中空部内に、断熱材６を配置することで、断熱性能を向上させたＦＩＸ窓である。
以下、具体的に説明する。
【００１０】
第１の実施形態のＦＩＸ窓は、図１及び図２に示すように、合成樹脂材料からなる上枠１１、下枠１２及び左右の竪枠１３，１３を四周に組んでなる枠体１の内周に複層ガラス等のパネル材１５を配置してなる。
【００１１】
上枠１１、下枠１２及び左右の竪枠１３，１３は、断面形状が同じ枠材であり、各枠材の端部が４５度の角度で切断され、端面同士を当接させて溶接することで四周にわたる枠体１が形成されている。
【００１２】
枠体１の上枠１１は、図１に示すように、躯体開口部の内周面に配置される上枠本体部１１１と、上枠本体部１１１の室内側内周面から内周方向に延設される室内側壁部１１２と、上枠本体部１１１の室内側端から室内方向に延びるアングル部１１３を有しており、上枠本体部１１１の室外側内周部分に押縁１１４が取り付けられ、パネル材１５の外周を保持するガラス間口１１ａが形成されている。
【００１３】
上枠本体部１１１は、複数の中空部を有しており、ガラス間口１１ａの外周側に見込寸法がガラス間口１１ａの見込寸法とほぼ等しい中空部１１１ａを備え、中空部１１１ａ内にシート状部材によって複数の空気層が区画された断熱材６が配置されている。
【００１４】
以上、ＦＩＸ窓の上枠１１部分の説明を行ったが、下枠１２部分及び左右竪枠１３部分の構造も上枠部分とほぼ同様であるので、ここでは詳しい説明は省略する。
なお、下枠１２は、ガラス間口１２ａ内にセッティングブロック１２ｂが配置されている点、左右竪枠１３，１３は、ガラス間口１３ａ内にガラス外れ止め金具等１３c，１３cが配置されている点で上枠１１部分とは異なっている。
【００１５】
次に、枠材の中空部内に配置される断熱材６について、説明する。
本実施形態の断熱材６は、図３（ａ）（ｂ）に示すように、例えば紙等を短冊状に切断したシート材６１を組み合わせてなり、一つのシート材６１は、蛇腹状に屈曲するように折り目６１ａ，６１ｂが形成され、シート材６１の一側から折り目６１ａ，６１ｂ間にシート材６１の幅寸法の半分の寸法の切り込み６１ｃが形成されてなる。
【００１６】
そして、図３（ｃ）に示すように、一組のシート材６１，６１を、切り込み６１ｃ同士が挿入するように組み合わせ、図３（ｄ）（ｅ）に示すように、複数の菱形が連続して形成されてなる断熱材６が形成される。
このようにして形成された断熱材６は、断熱材６の長さ方向に区画された複数の空間６ａを有し、また、複数の空間６ａ，６ａ間の外側には、複数の凹部空間６ｂを有している。
【００１７】
次に、上記断熱材６を枠材（上枠１１）の中空部内に配置する方法について説明する。
図４（ａ）（ｂ）に示すように、一組のシート材６１，６１を組み合わせてなる断熱材６を、菱形の空間６ａをつぶすように延ばした状態で枠材の中空部１１１ａ内に挿入する。
断熱材６を延ばした状態の長さ寸法は、上枠１１の中空部１１１ａの長さ寸法よりも長く、中空部１１１ａの両端から断熱材６の端部がはみ出している。
【００１８】
そして、枠材の両側から中空部１１１ａに挿入された断熱材６の端部を端部キャップ７により押し込んで、中空部１１１ａに嵌合することで、断熱材６が中空部１１１ａ内で押圧されて収縮し菱形の空間６ａのつぶれが戻り、図５（ａ）（ｂ）に示すように、中空部１１１ａ内一杯に配置される。
【００１９】
なお、中空部１１１ａに挿入される断熱材６の端部は、シート材６１，６１の折り目６１ａ，６１ａ部分で切断しておくことによって、断熱材６の端部に端部キャップ７を受ける受け部分６ｄが形成され、端部キャップ７による押し込みで断熱材６を均一に広げることができる。
【００２０】
また、端部キャップ７の挿入部の先端には、断熱材６の端部の受け部分６ｄに挿入しやすいように、凸部７ａが形成されており、該凸部７ａを断熱材６の受け部分６ｄに挿入しながら押し込むことで断熱材６の広がりを助けることができる。
【００２１】
枠材の中空部１１１ａ内に配置された断熱材６は、空間６ａによって中空部内に空気層を形成するとともに、複数の凹部空間６ｂと中空部１１１ａの内周面とによって空間６ａの外側に空気層を形成することができ、室内外方向に複数の空気層が形成される。
【００２２】
そして、断熱材６が配置された枠材の端部を突き合わせて溶着することで四周に渡る枠材を形成することができ、図６に示すように、該枠材には、四周に渡って断熱材６を配置することができる。
【００２３】
他の実施形態の断熱材６の例を、図７に示す。
図７（ａ）に示す断熱材６は、例えば４枚のシート材６１を組み合わせて形成されており、断熱材６の長さ方向及び厚み方向にそれぞれ区画された複数の空間６ａを有し、また、断熱材６の上下面には、複数の空間６ａ，６ａの外側に複数の凹部空間６ｂを有している。
【００２４】
図７（ｂ）に示す断熱材６は、例えば複数枚のシート材６１を組み合わせて形成されており、断熱材６の長さ方向及び厚み方向にそれぞれ断面略長方形に区画された複数の空間６ａを有している。
【００２５】
図７（ｃ）に示す断熱材６は、例えば複数枚のシート材６１を組み合わせて形成されており、断熱材６の長さ方向及び厚み方向にそれぞれ断面略６角形に区画された複数の空間６ａによるハニカム構造をなしている。
【００２６】
そして、図８（ａ）乃至（ｃ）に示すように、断熱材６を枠材の中空部１１１ａに配置することで、室内外方向に複数の空気層が形成される。
なお、シート状部材によって空気層が区画されてなる断熱材６の構造は、上記の実施形態に限定されるものではない。例えば、図８（ｄ）に示すように、シート材６１を丸めて中空部内に挿入することで、室内外方向に複数の空気層ｓが配置されるようにしてもよい。
【００２７】
−第２の実施形態−
第２の実施形態は、建具の枠体１の室内側に露出する部位に、内部に断熱材６が収容されたケース体５を配置することで、断熱性能を向上させた断熱建具である。
以下、具体的に説明する。なお、第１の実施形態の建具と同じ構成については、説明を一部省略する。
【００２８】
第２の実施形態のＦＩＸ窓の建具は、図９及び図１０に示すように、第１の実施形態のＦＩＸ窓の建具とほぼ同一であり、合成樹脂材料からなる上枠１１、下枠１２及び左右の竪枠１３，１３を四周に組んでなる枠体１の内周に複層ガラス等のパネル材１５を配置してなる。
【００２９】
上枠１１は、躯体開口部の内周面に配置される上枠本体部１１１と、上枠本体部１１１の室内側内周面から内周方向に延設される室内側壁部１１２と、上枠本体部１１１の室内側端から室内方向に延びるアングル部１１３を有しており、上枠本体部１１１の室外側内周部分に押縁１１４が取り付けられ、パネル材１５の外周を保持するガラス間口１１ａが形成されている。
【００３０】
本実施形態のＦＩＸ窓の建具は、上枠（枠材）１１の上枠本体部１１１及び室内側壁部１１２の室内側面に、断熱材６を収容したケース体５が配置されている。
【００３１】
上枠１１に取り付けられるケース体５は、合成樹脂材料からなり、外周壁部５ａと、室内壁部５ｂと、上方室外壁部５ｃと、内周壁部５ｄと、下方室外壁部５ｅを有し、上方室外壁部５ｃと下方室外壁部５ｅとの間に開口部を有する断面形状をしており、ケース体５は、内側部が断熱材６を収容する収容空間Ｓとして形成されている。
そして、ケース体５の収容空間Ｓの中に、複数枚のシート材６１を組み合わせて形成される断熱材６を配置することができる。
【００３２】
以上、ＦＩＸ窓の枠体について、上枠１１部分を用いて説明を行ったが、下枠１２部分及び左右竪枠１３部分の構造も上枠部分とほぼ同様であるので、ここでは詳しい説明は省略する。
【００３３】
以上のように、上記実施形態の断熱建具においては、建具の枠体１を構成する枠材の中空部内、もしくは枠材の室内側に取り付けたケース体５の内部にシート状部材によって空気層を形成してなる断熱材６を配置することで、簡単な加工によって建具の断熱性能を向上させることができる。
【００３４】
なお、断熱材の構成は、上記実施形態に限定されるものではなく、中空部等の空間内に配置されることでシート状部材によって複数の空気層が区画されるものであれば、何ら限定されるものではない。
【００３５】
さらに、断熱材が配置される部位は、何ら限定されるものではなく、建具についても、ＦＩＸ窓に限定されるものではなく、開き窓やすべり出し窓、引違い窓等建具の種類は何ら限定されるものではない。
【００３６】
なお、以上の実施形態は，請求項に記載された発明を限定するものではなく，例示として取り扱われることは言うまでもない。
【符号の説明】
【００３７】
１        ：枠体
５        ：ケース体
６        ：断熱材
６ａ      ：空間（空気層）
６ｂ      ：凹部空間（空気層）
６ｄ      ：受け部分
６１      ：シート材
６１ａ    ：折り目
６１ｂ    ：折り目
６１ｃ    ：切り込み
７        ：端部キャップ
７ａ      ：凸部
１１      ：上枠
１１１    ：上枠本体部
１１１ａ  ：中空部
【図１】
2020133358.tif 000003
【図２】
2020133358.tif 000004
【図３】
2020133358.tif 000005
【図４】
2020133358.tif 000006
【図５】
2020133358.tif 000007
【図６】
2020133358.tif 000008
【図７】
2020133358.tif 000009
【図８】
2020133358.tif 000010
【図９】
2020133358.tif 000011
【図１０】
2020133358.tif 000012